(57)【要約】【課題】少なくとも雨傘兼日笠として使用可能な多機能の傘体を提供する。【解決手段】この傘１では、少なくとも雨傘兼日笠として使用可能であり、柄２０を取り付けるか或いは伸ばし、かつ傘カバー３０を展開した状態で使用者が差しかけることにより雨傘として使用可能な雨傘モードと、柄２０を取り外すか或いは縮め、かつ傘カバー３０を収縮した状態で使用者の頭部に装着することにより日笠として使用可能な日笠モードとを備えたものである。【選択図】図３
2015211715.tif 000002
【特許請求の範囲】
【請求項１】
少なくとも雨傘兼日笠として使用可能な多機能の傘体であって、
柄を取り付けるか或いは伸ばし、かつカバーを展開した状態で使用者が差しかけることにより雨傘として使用可能な雨傘モードと、
柄を取り外すか或いは縮め、かつカバーを収縮した状態で使用者の頭部に装着することにより日笠として使用可能な日笠モードと
を備えたことを特徴とする多機能の傘体。
【請求項２】
柄を取り付けるか或いは伸ばし、かつカバーを収縮した状態で使用者が差しかけることにより日傘として使用可能な日傘モードをさらに備えたことを特徴とする請求項１記載の多機能の傘体。
【請求項３】
柄を取り外すか或いは縮め、かつカバーを展開した状態で使用者の頭部に装着することにより雨笠として使用可能な雨笠モードをさらに備えたことを特徴とする請求項１又は２記載の多機能の傘体。
【請求項４】
柄は多段に構成しており、下段の柄の上端に形成した孔に上段の柄の下端に形成した突起を着脱自在に連結することを特徴とする請求項１〜３のいずれか１項に記載の多機能の傘体。
【請求項５】
伸縮自在の柄をもっとも縮小させて頭頂部支柱とすることを特徴とする請求項１〜４のいずれか１項に記載の多機能の傘体。
【請求項６】
柄の最下部付近に変形部材を備え、該変形部材は使用者が把持するときの把持力、或いは、使用者の頭部上に載置するときの押圧力に応じて変形可能であることを特徴とする請求項１〜５のいずれか１項に記載の多機能の傘体。
【請求項７】
柄の最下部に折り畳んだ柄を収納するポケット部を備えたことを特徴とする請求項１〜６のいずれか１項に記載の多機能の傘体。
【請求項８】
伸縮自在の柄を下ろくろの下端に着脱可能に取り付けることを特徴とする請求項１〜７のいずれか１項に記載の多機能の傘体。
【請求項９】
カチューシャで使用者の頭部に装着可能であることを特徴とする請求項１〜８いずれか１項に記載の多機能の傘体。
【請求項１０】
各種カバーを、磁石、ボタン、ファスナー、或いは、カバー布同士間の作用力のいずれかでもって、傘骨に交換可能に取り付けていることを特徴とする請求項１〜９のいずれか１項に記載の多機能の傘体。
【請求項１１】
傘骨の先端に、カバーを着脱自在に取り付ける取付部材を備えたことを特徴とする請求項１〜１０のいずれか１項に記載の多機能の傘体。
【請求項１２】
傘骨の受骨を上下反転させることにより、開状態を維持可能としたことを特徴とする請求項１〜１１のいずれか１項に記載の多機能の傘体。
【発明の詳細な説明】
【技術分野】
【０００１】
本発明は、少なくとも雨傘兼日笠として使用可能な多機能の傘体に関するものである。
【背景技術】
【０００２】
「傘（かさ）」及び「笠（かさ）」は、いずれも上方から降下してくるものに対して直被しないように防護する目的の用具であるが、一般には手に持って差しかけて使う用具を傘といい、頭部に直接かぶって使う用具を笠という。傘を差す場合は、必ず片手は柄を持たなくてはならず、他の片手しか自由に使えず、不便である。一方、笠では、両手が自由に使えるので、便利である。
【０００３】
そして、日笠は太陽光線を頭部や顔面からさえぎるものであり、太陽光線の向きが上方からに限定されているので、小さくても効果がある。その上、日笠は小さくて風をさえぎらないほうが涼しく、日笠は小さいほうが軽くて便利なものである。一方、雨傘の場合は、雨は上方からばかりでなく、風があれば斜めから降ってくるものであり、身体全部を雨から守らなければならない。このため、大きくなくては雨傘としての効果は少ない。
【０００４】
ここで、日傘を雨傘に転用するためのカバーは知られている。例えば特許文献１では、単に日傘の布面を防水カバーで覆っているだけであるので、傘の大きさは変わらず、雨傘として使用するには小さくて、不適当であった。その逆に、特許文献２では、単に雨傘の布面を断熱性の生地やレース生地のカバーで覆っているだけであるので、傘の大きさは変わらず、日傘として使用するには大きくて、不適当であった。
【０００５】
そこで、特許文献３では、日傘の骨と同数の多角形で、日傘より若干大きい布状体の角部の裏面に、骨と同方向に、挿し込みパイプを取り付けた、日傘になるカバーが開示されている。そして、これを使用するときは、カバーの挿し込みパイプの挿し込み部を、日傘の骨の先端に挿し込み、日傘を開くと、挿し込みパイプの長さだけ傘は大きくなり、日傘よりも大きくなって雨傘として使用できるものである、と記載されている。
【発明の概要】
【発明が解決しようとする課題】
【０００６】
ところが、上記特許文献３では、日傘と雨傘とを兼用するものであって、いずれも「傘」であるので、それを差す場合は、必ず片手は柄を持たなくてはならず、他の片手しか自由に使えず、不便である。また、上記特許文献３では、カバーの挿し込みパイプが長く、その挿し込み部を、日傘の骨の先端から外して、日傘として使用するときに、それがカバー上で自由に動いて邪魔になるおそれもあった。
【０００７】
本発明は、上記事情に鑑みたものであり、その目的とするところは、少なくとも雨傘兼日笠として使用可能な多機能の傘体を提供することである。
【課題を解決するための手段】
【０００８】
本発明は、少なくとも雨傘兼日笠として使用可能な多機能の傘体であって、柄を取り付けるか或いは伸ばし、かつカバーを展開した状態で使用者が差しかけることにより雨傘として使用可能な雨傘モードと、柄を取り外すか或いは縮め、かつカバーを収縮した状態で使用者の頭部に装着することにより日笠として使用可能な日笠モードとを備えたことを特徴とするものである。
【０００９】
本発明によれば、柄を取り付けるか或いは伸ばし、かつカバーを展開した状態で使用者が差しかけることにより雨傘として使用可能な雨傘モードと、柄を取り外すか或いは縮め、かつカバーを収縮した状態で使用者の頭部に装着することにより日笠として使用可能な日笠モードとを備えたので、晴れた日であって手が空いていない場合などには、柄を取り外すか或いは縮め、かつカバーを収縮した状態で使用者の頭部に装着することにより日笠として使用し、雨の日であって手が空いている場合などには、柄を取り付けるか或いは伸ばし、かつカバーを展開した状態で使用者が差しかけることにより雨傘として使用することができる。
【００１０】
請求項２記載の発明のように、柄を取り付けるか或いは伸ばし、かつカバーを収縮した状態で使用者が差しかけることにより日傘として使用可能な日傘モードをさらに備えることが好ましい。
【００１１】
請求項２記載の発明によれば、柄を取り付けるか或いは伸ばし、かつカバーを収縮した状態で使用者が差しかけることにより日傘として使用可能な日傘モードをさらに備えたので、晴れた日であって手が空いている場合などには、柄を取り付けるか或いは伸ばし、かつカバーを収縮した状態で使用者が差しかけることにより日傘として使用することができる。
【００１２】
請求項３記載の発明のように、柄を取り外すか或いは縮め、かつカバーを展開した状態で使用者の頭部に装着することにより雨笠として使用可能な雨笠モードをさらに備えることが好ましい。
【００１３】
請求項３記載の発明によれば、柄を取り外すか或いは縮め、かつカバーを展開した状態で使用者の頭部に装着することにより雨笠として使用可能な雨笠モードをさらに備えたので、雨の日であって手が空いていない場合などには、柄を取り外すか或いは縮め、かつカバーを展開した状態で使用者の頭部に装着することにより雨笠として使用することができる。
【００１４】
請求項４記載の発明のように、柄は多段に構成しており、下段の柄の上端に形成した孔に上段の柄の下端に形成した突起を着脱自在に連結することが好ましい。
【００１５】
請求項４記載の発明によれば、柄は多段に構成しており、下段の柄の上端に形成した孔に上段の柄の下端に形成した突起を着脱自在に連結するので、柄は最大限度の長さから最小限度までの長さとなるまで伸縮自在となる。
【００１６】
請求項５記載の発明のように、伸縮自在の柄をもっとも縮小させて頭頂部支柱とすることが好ましい。
【００１７】
請求項５記載の発明によれば、伸縮自在の柄をもっとも縮小させて頭頂部支柱とするので、笠として安定して使用することができる。
【００１８】
請求項６記載の発明のように、柄の最下部付近に変形部材を備え、該変形部材は使用者が把持するときの把持力、或いは、使用者の頭部上に載置するときの押圧力に応じて変形可能であることが好ましい。
【００１９】
請求項６記載の発明によれば、柄の最下部付近に変形部材を備え、該変形部材は使用者が把持するときの把持力、或いは、使用者の頭部上に載置するときの押圧力に応じて変形可能であるので、傘としての使用時に把持しやすくなり、かつ、笠としての使用時に安定性が増すようになる。
【００２０】
請求項７記載の発明のように、柄の最下部に折り畳んだ柄を収納するポケット部を備えることが好ましい。
【００２１】
請求項７記載の発明によれば、柄の最下部に折り畳んだ柄を収納するポケット部を備えたので、折り畳み時にコンパクトとなり、携帯しやすくなる。
【００２２】
請求項８記載の発明のように、伸縮自在の柄を下ろくろの下端に着脱可能に取り付けることが好ましい。
【００２３】
請求項８記載の発明によれば、伸縮自在の柄を下ろくろの下端に着脱可能に取り付けるので、柄を取り外し、或いは、他の柄に交換できて便利である。
【００２４】
請求項９記載の発明のように、カチューシャで使用者の頭部に装着可能であることが好ましい。
【００２５】
請求項９記載の発明によれば、カチューシャで使用者の頭部に装着可能であるので、髪が乱れない。
【００２６】
請求項１０記載の発明のように、各種カバーを、磁石、ボタン、ファスナー、或いは、カバー布同士間の作用力のいずれかでもって、傘骨に交換可能に取り付けていることが好ましい。
【００２７】
請求項１０記載の発明によれば、各種カバーを、磁石、ボタン、ファスナー、或いは、カバー布同士間の作用力のいずれかでもって、傘骨に交換可能に取り付けているので、各種カバーを着せ替え自在となる。
【００２８】
請求項１１記載の発明のように、傘骨の先端に、カバーを着脱自在に取り付ける取付部材を備えることが好ましい。
【００２９】
請求項１１記載の発明によれば、傘骨の先端に、カバーを着脱自在に取り付ける取付部材を備えたので、カバーを確実に取り付けることができる。
【００３０】
請求項１２記載の発明のように、傘骨の受骨を上下反転させることにより、開状態を維持可能とすることが好ましい。
【００３１】
請求項１２記載の発明によれば、傘骨の受骨を上下反転させることにより、開状態を維持可能とするので、簡単な構成となる。
【発明の効果】
【００３２】
本発明によれば、柄を取り付けるか或いは伸ばし、かつカバーを展開した状態で使用者が差しかけることにより雨傘として使用可能な雨傘モードと、柄を取り外すか或いは縮め、かつカバーを収縮した状態で使用者の頭部に装着することにより日笠として使用可能な日笠モードとを備えたので、晴れた日であって手が空いていない場合などには、柄を取り外すか或いは縮め、かつカバーを収縮した状態で使用者の頭部に装着することにより日笠として使用し、雨の日であって手が空いている場合などには、柄を取り付けるか或いは伸ばし、かつカバーを展開した状態で使用者が差しかけることにより雨傘として使用することができる。
【図面の簡単な説明】
【００３３】
【図１】本発明の一実施形態に係る傘の全体構成を示す平面図である。
【図２】本発明の一実施形態に係る傘の全体構成を示す底面図である。
【図３】図１及び図２におけるＡ−Ａ線断面図である。
【図４】傘骨の構成例を示す説明図である。
【図５】柄の構成例を示す説明図である。
【発明を実施するための形態】
【００３４】
図１は本発明の一実施形態に係る傘（多機能の傘体に相当する。）１の全体構成を示す平面図、図２はその底面図、図３は図１及び図２におけるＡ−Ａ線断面図、図４は傘骨の構成例を示す説明図、図５は柄の構成例を示す説明図であって、（ａ）は伸長時、（ｂ）は縮小時、（ｃ）は把持時、（ｄ）は頭部上への載置時をそれぞれ示すものである。なお、各図における上下・前後・左右は、傘１を使用中の使用者を基準に設定している。
【００３５】
本実施形態に係る傘（多機能の傘体に相当する。）１は、図１〜図５に示すように、傘骨１０と、柄２０と、傘カバー（カバーに相当する。）３０と、ヘッドセット４０とを一体又は別体で備えている。以下、各要素を詳述する。
【００３６】
傘骨１０は、三つ折り式のものであって、図４に示すように、中棒１１と、上下ろくろ１１ａ，１１ｂと、受骨１２と、補助骨１３と、補助支骨１３ｂと、元親骨１４と、先親骨１５と、ジョイント１２ａ，１７ａ，１７ｃと、ピン１３ａと、露先１６と、クリップ（取付部材に相当する。）１６ａとを備えている。符号１８は、中棒１１の先端に螺合されたキャップである。
【００３７】
中棒１１の先端近くには上ろくろ１１ａが固着され、上ろくろ１１ａには補助骨１３の一端が枢着されている。中棒１１に摺動可能に嵌設された下ろくろ１１ｂに受骨１２の一端が枢着され、補助骨１３の他端は、受骨１２の中間部に設けられたジョイント１２ａに枢着されている。
【００３８】
元親骨１４の一端に固着されるジョイント１７ａと、補助骨１３の中間部に設けられたピン１３ａとに、補助支骨１３ｂの両端部が枢着されている。元親骨１４の他端はジョイント１７ｃに固着され、このジョイント１７ｃには先親骨１５の一端が枢着されている。先親骨１５の他端には、露先１６が嵌着されている。
【００３９】
ここで、傘１が完全に閉じた状態における下ろくろ１１ｂの位置については、図示を省略しているが、その閉じた状態から中間状態にいたるまでは、図４の細線で示すように、下ろくろ１１ｂは中棒１１の中間部よりも下側にある。そして、下ろくろ１１ｂを中棒１１に沿って上昇させると、その中間部で傘１が最も開いた状態となり、さらに中間部を超えて、上ろくろ１１ａに当接して止まるまで、やや閉じた状態になる。このときには、図４の実線で示すように、受骨１２が水平位置を超えて、その内側に向かいやや上向きに傾斜しており、傘１の自重により、下ろくろ１１ｂがひとりでに降下しなくなる。したがって、下ろくろ１１ｂについてのストッパー機構が不要となり、中棒１１をできるだけ短くしかつ簡素な構成が得られる。
【００４０】
柄２０は、例えば図５（ａ）〜（ｄ）に示すように、５段伸縮式の支柱２１ａ〜２１ｅと、当板２２とを備えており、上から下に向けて段階的に拡径する。そして、最上段の支柱２１ａの先端に雌ねじ２１ｆが形成されており、下ろくろ１１ｂの下側に形成された雄ねじ１１ｃに螺着されている。
【００４１】
支柱２１ａ〜２１ｅ同士は連結部材で伸縮自在に連結されている。この連結部材は、支柱２１ａを引っ張り上げると、その支柱２１ａの基端に出没自在に埋め込まれた球体（突起に相当する。）２１ｇが、支柱２１ｂの先端に形成された孔２１ｈに嵌合して支柱２１ａを支柱２１ｂに固定し、支柱２１ｂを引っ張り上げると、その支柱２１ｂの基端に出没自在に埋め込まれた球体２１ｇが、支柱２１ｃの先端に形成された孔２１ｈに嵌合して支柱２１ｂを支柱２１ｃに固定し、以下同様にして、支柱２１ａ〜２１ｅを相互に固定して、伸長した状態を維持可能としている。
【００４２】
また、支柱２１ａを押し下げると、その支柱２１ａの基端に出没自在に埋め込まれた球体２１ｇが、支柱２１ｂの先端に形成された孔２１ｈに没入し支柱２１ｂが支柱２１ｃ内に嵌め込まれる。支柱２１ｂを押し下げると、その支柱２１ｂの基端に出没自在に埋め込まれた球体２１ｇが、支柱２１ｃの先端に形成された孔２１ｈに没入して支柱２１ｂが支柱２１ｃ内に嵌め込まれ、以下同様にして、支柱２１ａ〜２１ｅを相互に固定して、縮小した状態を維持可能としている。
【００４３】
また、最下段の支柱２１ｅの基端には、傘１の折り畳み時に最下部となるジョイント１７ｃの先端を収容するポケット部２２ａを備えた当板２２が設けられている。当板２２は柔らかいビーズクッションやポリウレタンなどからなる変形部材２２ｃで取り巻かれている。そして、変形部材２２ｃは、使用者が手で持つと、適当な硬さでもって、持ちやすい形状に変形する。その一方で、この変形部材２２ｃは、使用者の頭部に載せると、その頭部にかかる押圧力により適当に変形して、頭頂部支柱を形成することで、詳しくは後述するヘッドセット４０のカチューシャ４１との協業により、笠として安定して使用できるようになっている。
【００４４】
傘カバー３０は、傘１全体を覆う表地３１と、表地３１の裏側の適所に張り付いて傘骨１０に表地３１を固定するための長方形の布片からなる裏地３２とを備えている。例えば図１，図２に示すように、表地３１と、裏地３２とは、同質又は異質の材料からなっており、分子間力や静電気力など布間での作用力によって、着脱自在に傘骨１０に固定されている。
【００４５】
ただし、裏地３２は、必ずしも布片とする必要はなく、例えば表地３１と、同質又は異質の材料のテープであってもよい。そのテープを、傘骨１０に沿って放射状に設けるか、或いは、蜘蛛の巣状にして、表地３１と、裏地３２との間に、傘骨１０を挟持させた状態で、ウレタン系エラストマー等で接着してもよい。さらには、裏地３２を、表地３１と略同形状に裁断した上で縫い合わせ等しておき、両者を衣服のように、傘骨１０に着せ替え可能としてもよい。
【００４６】
露先１６は、円筒形のギザギザ形状、もしくは、穴あきの骨先端としておき、そこにギザギザクリップで、傘カバー３０の先端６か所を抑えるようにしている。例えば図４に示すように、ワニ形のクリップ１６ａの底面に磁石を設けておき、傘骨１０をジョイント１７ｃまわりに回転させて、後述する日笠モード或いは日傘モードにすると、ワニ形のクリップ１６ａが上下反転してそのワニの顔が良く見えるときに、その磁石が傘骨１０のジョイント１７ａに磁力でもってくっつくようになっている。このため、少なくともジョイント１７ａは、鉄製のものを採用している。
【００４７】
ヘッドセット４０は、例えば図２，図３に示すように、カチューシャ４１と、吊具４２と、ゴム紐４３とを備えている。カチューシャ４１は後部が開口したゴム製のものであって、ゴム紐４３でその開口部を閉じて、装着時に頭部から脱落しにくくしている。また、吊具４２はプラスチック製であり、その基端がカチューシャ４１に適宜間隔で固着されており、先端に設けられたフック（図示せず。）で傘骨１０の適所に着脱自在に係止するものである。
【００４８】
このヘッドセット４０は、後述する日笠モード或いは雨笠モードで使用するときに、傘骨１０に取り付け、後述する雨傘モード或いは日傘モードで使用するときに、傘骨１０から取り外してコンパクトに折り畳めるようになっている。また、カチューシャ４１で使用者の頭部に装着可能であるので、髪が乱れない。
【００４９】
以下、この傘１の使用方法などについて説明する。
【００５０】
最初は使用者が傘１を三つ折りにして袋（図示せず。）に入れた状態で携帯しているものとする。このときには、図５（ｂ）に示すように、柄２０は縮小した状態となっており、その柄２０の当板２２に凹設されたポケット部２２ａ内に、傘骨１０のジョイント１７ａの下側が収納されて、ばらけないようになっている。また、最上段の支柱２１ａの先端の雌ねじ２１ｆが下ろくろ１１ｂの下側に形成された雄ねじ１１ｃに螺着されている。さらに、傘カバー３０は中棒１１まわりに巻かれて最小化されている。
【００５１】
（雨傘モード）
まず、雨の日であって手が空いている場合などには、使用者が傘１を袋から取り出して、柄２０を伸ばす。具体的には、図３のＢ方向と反対向きに、使用者が柄２０の変形部材２２ｃを把持して当板２２を引き下げると、その反力でもって、支柱２１ａが引っ張り上げられる。すると、その支柱２１ａの基端に出没自在に埋め込まれた球体２１ｇが、支柱２１ｂの先端に形成された孔２１ｈに嵌合して支柱２１ａを支柱２１ｂに固定される。次いで、支柱２１ｂが引っ張り上げられると、その支柱２１ｂの基端に出没自在に埋め込まれた球体２１ｇが、支柱２１ｃの先端に形成された孔２１ｈに嵌合して支柱２１ｂが支柱２１ｃに固定される。以下同様にして、支柱２１ａ〜２１ｅが相互に固定されて、伸長した状態が維持可能となる。
【００５２】
次いで、傘カバー３０を展開する。具体的には、傘１を中棒１１まわりに回転させて傘カバー３０の巻き状態をほどいていく。そして、傘骨１０の露先１６を持って、それが最も外側にくるように引っ張ると、傘骨１０は図３のＣ方向と逆向きに開いて、傘カバー３０の表地３１を、図１〜図３における二点鎖線のように展開できる。このようにして展開した傘１を、使用者が変形部材２２ｃを把持して差しかけることにより、雨傘として使用する、いわゆる雨傘モードを実行することができる。
【００５３】
（雨笠モード）
ここで、雨の日であって手が空いていない場合などには、雨傘モードにおける傘カバー３０を展開したまま、柄２０を縮小して、傘骨１０の適宜位置にヘッドセット４０を取り付ける。具体的には、図３のＢ方向に、使用者が柄２０の変形部材２２ｃを把持して当板２２を押し上げると、その反力でもって、支柱２１ａが押し下げられる。すると、その支柱２１ａの基端に出没自在に埋め込まれた球体２１ｇが、支柱２１ｂの先端に形成された孔２１ｈに没入し支柱２１ｂが支柱２１ｃ内に嵌め込まれる。支柱２１ｂが押し下げられると、その支柱２１ｂの基端に出没自在に埋め込まれた球体２１ｇが、支柱２１ｃの先端に形成された孔２１ｈに没入して支柱２１ｂが支柱２１ｃ内に嵌め込まれ、以下同様にして、支柱２１ａ〜２１ｅが相互に固定されて、縮小した状態が維持可能となる。このとき、最上段の支柱２１ａの先端の雌ねじ２１ｆと、下ろくろ１１ｂの下側に形成された雄ねじ１１ｃとの螺着を解除することにより、柄２０を取り外して、別途用意された短い頭頂部支柱に取り換えてもよい。
【００５４】
次いで、ヘッドセット４０を取り付ける。具体的には、図２，図３に示すような、カチューシャ４１を、使用者の頭部に嵌め込み、ゴム紐４３で固定する。すると、図５（ｄ）に示すように、当板２２が変形部材２２ｃを介して使用者の頭部にソフトタッチで接することになる。このようにして展開した傘１を、変形部材２２ｃを介して使用者の頭部上に載置されることにより、雨笠として使用する、いわゆる雨笠モードを実行することができる。
【００５５】
（日笠モード）
ここで、晴れた日であって手が空いていない場合などには、柄２０を縮小して、或いは柄２０を取り外して、別途用意された短い頭頂部支柱に取り換えたままで、かつ、傘骨１０の適宜位置にヘッドセット４０を取り付けたまま、雨笠モードにおける傘カバー３０を縮小する。具体的には、図１〜図３の実線で示すように、使用者は露先１６を持って、ジョイント１７ｃまわりに先親骨１５を図３のＣ方向に回転させる。すると、傘カバー３０の表地３１の一部が畳み込まれて縮小化された状態となる。このとき、表地３１と、裏地３２とは、同質又は異質の材料からなっており、分子間力などの布間での作用力でもって、着脱自在に傘骨１０に固定されているので、表地３１が傘骨１０から容易に剥離することはない。
【００５６】
また、露先１６は、円筒形のギザギザ形状であり、そこに取り付けておいた、ワニ形のクリップ１６ａが上下反転してワニの顔が良く見えるときに、磁石が傘骨１０に磁力でもってくっつくようになる。したがって、露先１６が、傘カバー３０の表地３１を介して、傘骨１０に着脱自在に固定される。このようにして縮小した傘１を、変形部材２２ｃを介して使用者の頭部上に載置されることにより、日笠として使用する、いわゆる日笠モードを実行することができる。
【００５７】
（日傘モード）
ここで、晴れた日であって手が空いている場合などには、日笠モードにおける傘カバー３０を縮小したまま、傘骨１０からヘッドセット４０を取り外す。具体的には、ヘッドセット４０のゴム紐４３を解いて、カチューシャ４１を使用者の頭部から取り外し、吊具４２のフックを傘骨１０から取り外す。
【００５８】
そして、柄２０を伸ばす。具体的には、図３のＢ方向と反対向きに、使用者が柄２０の変形部材２２ｃを把持して当板２２を引き下げると、その反力でもって、支柱２１ａが引っ張り上げられる。すると、その支柱２１ａの基端に出没自在に埋め込まれた球体２１ｇが、支柱２１ｂの先端に形成された孔２１ｈに嵌合して支柱２１ａを支柱２１ｂに固定される。次いで、支柱２１ｂが引っ張り上げられると、その支柱２１ｂの基端に出没自在に埋め込まれた球体２１ｇが、支柱２１ｃの先端に形成された孔２１ｈに嵌合して支柱２１ｂが支柱２１ｃに固定される。以下同様にして、支柱２１ａ〜２１ｅが相互に固定されて、伸長した状態が維持可能となる。このようにして縮小した傘１を、使用者が変形部材２２ｃを把持して差しかけることにより、日傘として使用する、いわゆる日傘モードを実行することができる。
【００５９】
ここで、傘カバー３０を畳み込み、柄２０が縮小化され、その柄２０の当板２２に凹設されたポケット部２２ａ内に、傘骨１０のジョイント１７ａの下側が収納され、傘１が三つ折りにされて袋に入れた状態で携帯する、最初の状態に戻すことができる。
【００６０】
なお、上記実施形態では、傘１を袋に入れて携帯した状態から、雨傘モード、雨笠モード、日笠モード、日傘モードの順に実行しているが、必ずしも、かかる順にて実行する必要はない。すなわち、そのときの天候と使用者の手の空き具合とに応じて、いずれか１つのモードを選択し、傘１を袋に入れて携帯した状態からその選択したモードに直接移行してそれを実行すればよい。また、すべてのモードを備える必要はなく、少なくとも雨傘モードと、日笠モードとを備えていれば足りる。
【００６１】
また、上記実施形態では、５段伸縮式の支柱２１ａ〜２１ｅを備えるとともに、最上段の支柱２１ａの先端に形成された雌ねじ２１ｆに、下ろくろ１１ｂの下側に形成された雄ねじ１１ｃが螺着されているが、他の適当な取付方式であってもよいし、その適当な取付方式でハンドグリップを備えた支柱などに代えてもよい。また、５段である必要はなく、例えば１０段伸縮式の支柱とすることとしてもよい。その場合は、支柱２１ａ〜２１ｅを後付する必要がなくなり、したがって、最上段の支柱２１ａの先端は、最初から下ろくろ１１ｂの下側に固定できて便利である。さらに少ない段での伸縮式であるか、或いは、さらに多くの段での伸縮式としてもよい。
【００６２】
また、上記実施形態では、支柱２１ａ〜２１ｅ間の連結方式は、上側支柱の基端において出没自在の球体２１ｇと、下側の支柱の先端に形成された孔２１ｈとからなる連結部材としているが、例えば出没爪などを用いた他の連結方式であってもよい。
【００６３】
また、上記実施形態では、受骨１２が水平となる以上に下ろくろ１１ｂを上昇させることにより、展開状態を維持できることとしているが、従来の出没爪を設けたストッパー方式としてもよい。
【００６４】
また、上記実施形態では、傘カバー３０の表地３１と、裏地３２とは、同質又は異質の材料からなっており、分子間力や静電気力などの布間での作用力でもって、着脱自在に傘骨１０に固定されているが、さらには磁力やボタンやファスナーなどでもって、着脱自在に傘骨１０に固定されるようにしてもよい。
【００６５】
また、上記実施形態では、傘カバー３０の表地３１は６角形としているが、４角形、５角形、８角形、円形、その他の形状であってもよい。傘骨１０の形状はそれに応じたものとなる。傘カバー３０は、１種類に限定されず、例えば、いちご柄、豹柄、オリンピック柄、ワールドカップ柄などの複数デザインや複数種類の傘カバー３０を用意しておき、そのときの気分などに応じたものに着せ替えることもできる。
【００６６】
さらに、傘１の頂にあるキャップ１８を取り外して、そこに傘カバー３０のデザイン等に応じた飾りなどを取り付けることもできる。そのようにカスタマイズして、他人のものとは違った、自分好みのおしゃれな傘１が得られる。
【符号の説明】
【００６７】
１  傘（多機能の傘体に相当する。）
１０  傘骨
１６  露先
１６ａ  クリップ（取付部材に相当する。）
１８  キャップ
２０  柄
２１ａ〜２１ｅ  支柱（頭頂部支柱を構成する。）
２１ｆ  球体（突起に相当する。）
２１ｈ  孔
２２  当板（頭頂部支柱を構成する。）
２２ａ  ポケット部
２２ｃ  変形部材（頭頂部支柱を構成する。）
３０  傘カバー（カバーに相当する。）
３１  表地
３２  裏地
４０  ヘッドセット
４１  カチューシャ
４２  吊具
【先行技術文献】
【特許文献】
【００６８】
【特許文献１】実開昭５７−０４５３１７号公報
【特許文献２】実開昭６２−１９７９１９号公報
【特許文献３】実開昭６１−０６３９１７号公報
【図１】
2015211715.tif 000003
【図２】
2015211715.tif 000004
【図３】
2015211715.tif 000005
【図４】
2015211715.tif 000006
【図５】
2015211715.tif 000007